(57)【要約】【課題】  本発明は、スピーカ装置に関し、例えばＤＶＤプレイヤーに係るモニタシステムに適用して、簡易な接続により、重低音の豊富な臨場感の高い音場を形成することができるようにする。【解決手段】  本発明は、音声信号と共に対応する映像信号を入力し、これら音声信号、映像信号を出力端子３１ＬＯ、３１ＲＯ、３１ＶＯから出力すると共に、この音声信号の周波数の低い信号成分によりスピーカ３２を駆動する。【選択図】        図１
2005079801.tif 000002
【特許請求の範囲】
【請求項１】
音声信号を入力する音声入力端子と、
前記音声入力端子に対応して設けられ、前記音声入力端子から入力される音声信号を出力する音声出力端子と、
前記音声入力端子から入力される音声信号を帯域制限して周波数の低い信号成分を抽出して出力する帯域制限手段と、
周波数の低い音声信号を再生するスピーカと、
前記帯域制限手段の出力信号により前記スピーカを駆動する増幅回路と、
前記音声入力端子に入力する音声信号に対応する映像信号を入力する映像入力端子と、
前記映像入力端子から入力される映像信号を出力する映像出力端子と、
を備えることを特徴とするスピーカ装置。
【請求項２】
前記音声入力端子は、
右及び左チャンネルの音声信号をそれぞれ入力する音声入力端子であり、
前記音声入力端子及び前記映像入力端子は、
右及び左チャンネルの音声信号、映像信号を伝送する接続コードを平行に一体化した複合の接続ケーブルにおける配列及び色分けに対応して、一定のピッチにより一列に配列して設けられ、
前記音声出力端子及び前記映像出力端子は、
前記音声入力端子及び前記映像入力端子における配列及び色分けに対応して、一定のピッチにより一列に配列して設けられた
ことを特徴とする請求項１に記載のスピーカ装置。
【請求項３】
前記右及び左チャンネルの音声信号を合成して１チャンネルの音声信号を出力する音声信号合成手段を有し、
前記帯域制限手段は、
前記音声信号合成手段から出力される１チャンネルの音声信号を帯域制限することにより、前記音声入力端子から入力される音声信号を帯域制限して周波数の低い信号成分を抽出して出力する
ことを特徴とする請求項２に記載のスピーカ装置。
【請求項４】
前記増幅回路により前記スピーカを駆動する音量を制御する音量制御手段を有する
ことを特徴とする請求項１に記載のスピーカ装置。
【発明の詳細な説明】
【技術分野】
【０００１】
本発明は、スピーカ装置に関し、例えばＤＶＤ（Digital Versatile Disk）プレイヤーに係るモニタシステムに適用することができる。本発明は、音声信号と共に対応する映像信号を入力し、これら音声信号、映像信号を出力端子から出力すると共に、この音声信号の周波数の低い信号成分によりスピーカを駆動することにより、簡易な接続により、重低音の豊富な臨場感の高い音声信号による音場を形成することができるようにする。
【背景技術】
【０００２】
従来、ＤＶＤによる光ディスクにおいては、マルチチャンネルにより音声信号を記録できるようになされ、これにより臨場感の高い音場をユーザーに適用できるようになされている。すなわちＤＶＤに係るマルチチャンネルにおいては、視聴者の前方、左右、中央にそれぞれ配置した３個のスピーカ、視聴者の後方、左右にそれぞれ配置した２個のスピーカ、重低音用のサブウーハースピーカに対応する５．１チャンネルにより形成される。
【０００３】
ＤＶＤでは、このマルチチャンネルの音声信号がドルビーディジタル方式、ＤＴＳ方式等により記録されるようになされている。またこのようなマルチチャンネルの音声信号がダウンミックスされて２チャンネルステレオ音声信号が生成され、この２チャンネルステレオ音声信号も併せて記録されるようになされている。
【０００４】
このようなＤＶＤにおける音声信号の記録に対応して、ＤＶＤを再生するＤＶＤプレイヤーにおいては、一般に、２チャンネルステレオ音声信号については、アナログ信号にデコードして出力するようになされ、またマルチチャンネルの音声信号については、これら５．１チャンネルの音声信号を多重化したディジタル音声出力により出力するようになされている。
【０００５】
これにより図４に示すように、２チャンネルステレオ音声信号により音声信号を楽しむ場合、ＤＶＤプレイヤー１に設けられた右チャンネル及び左チャンネルの音声出力端子１Ｒ及び１Ｌ、映像出力端子１Ｖと、テレビジョン受像機２に設けられた右チャンネル及び左チャンネルの音声入力端子２Ｒ及び２Ｌ、映像入力端子２Ｖとをそれぞれ接続コード３Ｒ、３Ｌ、３Ｖにより接続し、２チャンネルステレオ音声信号を映像信号と共にテレビジョン受像機２に伝送することにより、テレビジョン受像機２に設けられたスピーカ５Ｌ及び５Ｒにより２チャンネルの音声信号をモニタし、表示画面４により映像をモニタできるようになされている。
【０００６】
このような２チャンネルステレオ音声信号、映像信号による接続コード３Ｒ、３Ｌ、３Ｖにおいては、これら３本の接続コードを平行に束ねて一体化した複合の接続ケーブルが提供されるようになされ、この複合の接続ケーブルにより接続作業を簡易かつ確実に実行できるようになされている。またこのような複合の接続ケーブル、各接続コード３Ｒ、３Ｌ、３Ｖに係るピンジャックにおいては、左チャンネル音声信号用、右チャンネル音声信号用、映像信号用にそれぞれ白色、赤色、黄色が割り当てられ、これらの各色により色分けして誤接続を防止するようになされている。
【０００７】
これに対してマルチチャンネルの音声信号を楽しむ場合、図５に示すように、ＤＶＤプレイヤー１から出力されるディジタル音声出力を別体の専用装置により５．１チャンネルの音声信号にデコードするようになされている。
【０００８】
すなわち例えばこの種の専用装置は、マルチチャンネル用のＡＶアンプ１０として提供され、ディジタル音声入力端子１０Ｄから入力されるディジタル音声信号をデコードして５．１チャンネルの音声信号を再生する。この種のＡＶアンプ１０は、この５．１チャンネルの音声信号のうち、サブウーハーに係る０．１チャンネルを除く５チャンネルの音声信号については、内蔵の増幅回路により増幅して直接スピーカを駆動できるように構成される。これによりこの場合、ＤＶＤプレイヤー１に設けられたディジタル音声出力端子１ＤとＡＶアンプ１０に設けられたディジタル音声入力端子１０Ｄとを接続コード１２により接続してＤＶＤプレイヤー１のディジタル音声出力をＡＶアンプ１０に入力すると共に、ＡＶアンプ１０に設けられた５チャンネルの音声信号に係るスピーカ出力端子１０ＦＬ、１０Ｃ、１０ＦＲ、１０ＳＬ、１０ＳＲを対応するスピーカ１１ＦＬ、１１Ｃ、１１ＦＲ、１１ＳＬ、１１ＳＲに接続して５チャンネルの音場を形成できるようになされている。
【０００９】
これに対してサブウーハー１３においては、一般に、サブウーハー１３側にサブウーハー１３の特性に適した増幅回路が設けられる。これによりサブウーハーに係る０．１チャンネルについては、いわゆるプリアンプ出力の出力端子であるＡＶアンプ１０のサブウーハー出力端子１０ＳＷとサブウーハー１３のサブウーハー入力端子１３ＳＷとを接続コード１４により接続して、このサブウーハー１３に係る重低音を出力できるようになされている。
【００１０】
このようなＡＶアンプ１０においては、映像入力端子１０ＶＩ、映像出力端子１０ＶＯが設けられ、この映像入力端子１０ＶＩから入力される映像信号を映像出力端子１０ＶＯから出力するようになされている。これによりＤＶＤプレイヤー１に設けられた映像出力端子１Ｖと映像入力端子１０ＶＩとを接続コード１５により接続すると共に、映像出力端子１０ＶＯとテレビジョン受像機２に設けられた映像入力端子２Ｖとを接続コード１６により接続することにより、ＡＶアンプ１０を介して映像信号をテレビジョン受像機２に出力できるようになされている。
【００１１】
しかしてこのようにして実現される５．１チャンネルによる音場においては、重低音の豊富な臨場感の高い音場である。ＤＶＤの光ディスクにおいては、このような５．１チャンネルによる音声信号がダウンミックスされて２チャンネルの音声信号が生成され、この２チャンネルの音声信号が記録されていることにより、図４のシステム構成により説明したＤＶＤプレイヤー１から出力される２チャンネルの音声信号においても、重低音が豊富に含まれたものになる。これにより図４のシステム構成により、ＤＶＤプレイヤー１から出力される２チャンネルの音声信号をテレビジョン受像機２に直接出力する場合にあっても、重低音の豊富な臨場感の高い音場を形成できると考えられる。
【００１２】
しかしながらテレビジョン受像機２においては、このような重低音にあっては再生困難で、これにより図４に示すようなＤＶＤプレイヤー１から出力される２チャンネルの音声信号をテレビジョン受像機２に直接出力する場合にあっては、重低音が不足して臨場感に欠ける問題があった。
【００１３】
なお特開平１１ー４３９４号公報、特開平６ー７０２６９号公報等には、低音用のスピーカボックスをテレビジョン受像機に設けることにより低音まで再生可能にテレビジョン受像機を構成する方法が提案されている。
【００１４】
しかしながら重低音の再生にあっては、大口径で、強力な磁気回路を有する低音用スピーカを搭載することが必要になるが、このような低音用スピーカをテレビジョン受像機に搭載した場合、スピーカの防磁対策を十分に図らなければ、スピーカの漏洩磁束により表示画面に色ムラが発生する。これにより特開平１１ー４３９４号公報、特開平６ー７０２６９号公報等に開示の手法によりテレビジョン受像機側で重低音を再生可能とする方法にあっては、実際上適用できない問題がある。
【００１５】
なお液晶ディスプレー、プラズマディスプレー等の平面型テレビにあっても、テレビ本体が薄型のために大型のスピーカを搭載することが困難なことにより、ブラウン管方式によるテレビジョン受像機と同様に、重低音を十分に再生し得ない。
【００１６】
しかして一般的に、テレビジョン受像機は、映像と音声（スピーカ）の最終的な出力機器として位置付けられることにより、サブウーハーの駆動に供する音声出力を有するものは稀である。また音声出力端子の１つであるヘッドフォン端子については、一般的に具備するようになされてはいるものの、ヘッドフォン端子にプラグを挿入すると、テレビジョン受像機に内蔵のスピーカからの音声出力が中止される。これによりこのような重低音の再生にあっては、ＤＶＤプレイヤーとテレビジョン受像機との間に設けることが適していると考えられる。
【００１７】
この問題を解決する１つの方法として図６に示すように、別途、２チャンネル音声信号からサブウーハー１３の駆動に供する音声信号を生成し、この生成した音声信号によりサブウーハー１３を駆動することが考えられる。しかしてこの場合、サブウーハー１３の駆動信号を生成する音声信号合成器２０の音声入力端子２０ＬＩ、２０ＲＩに対して、それぞれ接続コード２１Ｌ、２０ＲによりＤＶＤプレイヤー１からの２チャンネル音声信号を入力し、またこの音声信号合成器２０の音声出力端子２０ＬＯ、２０ＲＯにそれぞれ接続コード２２Ｌ、２２Ｒを接続して２チャンネル音声信号をテレビジョン受像機２に出力する。
【００１８】
音声信号合成器２０においては、これら音声入力端子２０ＬＩ、２０ＲＩの入力信号をそれぞれ音声出力端子２０ＬＯ、２０ＲＯに出力するようにして、音声入力端子２０ＬＩ、２０ＲＩから入力される音声信号を合成する。しかしてこの合成方法において最も簡単な方法においては、単に音声入力端子２０ＬＩ、２０ＲＩを接続して右及び左チャンネルの加算によりサブウーハー１３の駆動用音声信号を生成する方法ではあるが、この方法の場合、テレビジョン受像機２に出力する音声信号がモノラルとなる。これにより例えば音声入力端子２０ＬＩ、２０ＲＩの入力信号を抵抗加算により加算してサブウーハー１３の駆動用音声信号を生成する。なおこの図６の例では、音声入力端子２０ＬＩ、２０ＲＩの入力信号をそれぞれ音声出力端子２０ＳＬ及び２０ＳＲより出力し、符号Ａにより等化回路を示すように、この音声出力端子２０ＳＬ及び２０ＳＲに接続される接続コード２４により抵抗加算の処理を実行する。
【００１９】
しかしながらこのようにこのようにしてシステムを構成すると、接続コードによる接続が複雑になる問題がある。
【特許文献１】特開平１１ー４３９４号公報
【特許文献２】特開平６ー７０２６９号公報
【発明の開示】
【発明が解決しようとする課題】
【００２０】
本発明は以上の点を考慮してなされたもので、簡易な接続により、重低音の豊富な臨場感の高い音声信号による音場を形成することができるスピーカ装置を提案しようとするものである。
【課題を解決するための手段】
【００２１】
かかる課題を解決するため請求項１の発明においては、スピーカ装置に適用して、音声信号を入力する音声入力端子と、音声入力端子に対応して設けられ、音声入力端子から入力される音声信号を出力する音声出力端子と、音声入力端子から入力される音声信号を帯域制限して周波数の低い信号成分を抽出して出力する帯域制限手段と、周波数の低い音声信号を再生するスピーカと、帯域制限手段の出力信号によりスピーカを駆動する増幅回路と、音声入力端子に入力する音声信号に対応する映像信号を入力する映像入力端子と、映像入力端子から入力される映像信号を出力する映像出力端子とを備えるようにする。
【００２２】
請求項１の構成によれば、ＤＶＤプレイヤー等のソースより音声信号及び映像信号を入力するように接続コードを接続し、またテレビジョン受像機等の出力機器に音声信号及び映像信号を出力するように接続コードを接続するだけで、これらの入力に係る音声信号から重低音に係る音声信号を抽出してスピーカを駆動することができる。これにより簡易な接続により、重低音の豊富な臨場感の高い音声信号による音場を形成することができる。
【発明の効果】
【００２３】
本発明によれば、簡易な接続により、重低音の豊富な臨場感の高い音声信号による音場を形成することができる。
【発明を実施するための最良の形態】
【００２４】
以下、適宜図面を参照しながら本発明の実施例を詳述する。
【実施例１】
【００２５】
（１）実施例の構成
図２は、本発明の実施例に係るＡＶシステムを示すブロック図である。このＡＶシステムでは、サブウーハーのスピーカ装置３１を介して、ＤＶＤプレイヤー１とテレビジョン受像機２とを接続して形成される。
【００２６】
ここで図１に示すように、スピーカ装置３１は、ＤＶＤプレイヤー１から出力される２チャンネル音声信号を合成して１チャンネルによるサブウーハー用の音声信号を生成し、この音声信号によりサブウーハーのスピーカ３２を駆動する。すなわちスピーカ装置３１において、バッファアンプ３３Ｌ及び３３Ｒは、それぞれ音声信号を入力する音声入力端子３１ＬＩ及び３１ＲＩから音声信号を入力し、この音声信号を増幅して出力する。続くミキシングアンプ３４は、これらバッファアンプ３３Ｌ及び３３Ｒから出力される音声信号を加算して１チャンネルの音声信号を出力し、これによりこれら音声入力端子３１ＬＩ及び３１ＲＩから入力される音声信号を合成して１チャンネルの音声信号を出力する音声信号合成手段を構成する。
【００２７】
ローパスフィルタ（ＬＰＦ）３５は、この１チャンネルによる音声信号の高域成分を抑圧して出力することにより、音声入力端子から入力された音声信号を帯域制限して、周波数の低い信号成分を抽出して出力する帯域制限手段を構成する。
【００２８】
ボリューム３６は、このローパスフィルタ３５の出力信号に係る音量を補正して出力し、続く増幅回路３７は、このボリューム３６から出力される音声信号によりスピーカ３２を駆動する。これによりボリューム３６は、増幅回路３７によりスピーカ３２を駆動する音量を制御する音量制御手段を構成する。これらによりこのスピーカ装置３１は、ＤＶＤプレイヤー１から出力される２チャンネル音声信号に含まれている重低音を再生するようになされている。
【００２９】
さらにスピーカ装置３１は、これら音声入力端子３１ＬＩ及び３１ＲＩから入力される２チャンネル音声信号を、何ら処理することなく直接出力する音声出力端子３１ＬＯ及び３１ＲＯが設けられ、これにより図２に示すように、ＤＶＤプレイヤー１とテレビジョン受像機２との間に設置することにより、スピーカ３２で再生困難な高域側の音声をテレビジョン受像機２のスピーカ５Ｌ、５Ｒにより再生できるようになされている。
【００３０】
スピーカ装置３１は、これら音声入力端子３１ＬＩ及び３１ＲＩ、音声出力端子３１ＬＯ及び３１ＲＯに対応して、映像入力端子３１ＶＩ、映像出力端子３１ＶＯが設けられ、映像入力端子３１ＶＩから入力される映像信号を映像出力端子３１ＶＯから直接出力できるようになされている。これによりこのスピーカ装置３１は、映像信号についても音声信号と同様にＤＶＤプレイヤー１、テレビジョン受像機２との間で接続してテレビジョン受像機２でモニタできるようになされ、これにより簡易な接続により、重低音の豊富な臨場感の高い音声信号による音場を形成することができるようになされている。
【００３１】
スピーカ装置３１は、図３に示すように、これら入力に係る音声入力端子３１ＬＩ及び３１ＲＩ、映像入力端子３１ＶＩが、それぞれ２チャンネルの音声信号及び対応する映像信号に係る接続コードを平行に一体化した複合の接続ケーブルにおける配列及び色分けに対応して、一定のピッチにより一列に配列して設けられる。また出力に係る音声出力端子３１ＬＯ及び３１ＲＯ、映像出力端子３１ＶＯが、これら音声入力端子３１ＬＩ及び３１ＲＩ、映像入力端子３１ＶＩにおける配列及び色分けに対応して、一定のピッチにより一列に配列して設けられる。
【００３２】
すなわちこのスピーカ装置３１は、背面に、それぞれ音声入力端子３１ＬＩ及び３１ＲＩ、映像入力端子３１ＶＩが縦方向に一列に並んで配置され、またこの配置に隣接して音声出力端子３１ＬＯ及び３１ＲＯ、映像出力端子３１ＶＯが、縦方向に一列に並んで配置される。また各列においては、上方より白色が割り当てられてなる左チャンネルの音声信号用の端子、赤色が割り当てられてなる右チャンネルの音声信号用の端子、黄色が割り当てられてなる映像信号用の端子が順次設けられる。
【００３３】
これによりこのスピーカ装置３１では、それぞれ接続コード３９Ｌ、３９Ｒ、３９Ｖが一体化されてなる複合の接続コード３９、接続コード４０Ｌ、４０Ｒ、４０Ｖが一体化されてなる複合の接続コード４０を入力及び出力用に適用して接続をすっきりさせることができるようになされ、さらにはこのような複合の接続コード３９、４０を使用して誤配線を有効に回避できるようになされている。
【００３４】
（２）実施例の動作
このスピーカ装置３１では、ＤＶＤプレイヤー１から出力される２チャンネルステレオ音声信号が音声入力端子３１ＬＩ、３１ＲＬを介して入力され、この２チャンネルステレオ音声信号が音声出力端子３１ＬＯ、３１ＲＯを介してテレビジョン受像機２に出力される。これによりテレビジョン受像機２を介して、このテレビジョン受像機２の音声再生に係る周波数特性によりＤＶＤプレイヤー１から出力される２チャンネルステレオ音声信号が再生され、２チャンネルステレオ音声信号に含まれている重低音成分についてはこのテレビジョン受像機２では再生できないことになる。
【００３５】
スピーカ装置３１では、これによりこれら音声入力端子３１ＬＩ、３１ＲＬを介して入力される２チャンネルステレオ音声信号がバッファ回路３３Ｌ、３３Ｒで増幅された後、ミキシングアンプ３４により合成されて１チャンネルの音声信号が生成され、ローパスフィルタ３５によりこの１チャンネルの音声信号から低周波成分が抽出されてスピーカ３２の駆動に供する音声信号が生成される。またこの音声信号の音量がボリューム３６により制御され、増幅回路３７によりスピーカ３２の駆動に供される。
【００３６】
これによりこのスピーカ装置３１では、２チャンネルステレオ信号に含まれている重低音をスピーカ３２で再生して重低音の豊富な臨場感のある音場を作成することができる。      
【００３７】
このようにして音声信号を入力するスピーカ装置３１においては、このような音声入力端子３１ＬＩ、３１ＲＬと共に映像入力端子３１ＶＩが設けられ、またこの映像入力端子３１ＶＩからの映像信号をテレビジョン受像機２に出力する映像出力端子３１ＶＯが設けられていることにより、ユーザーにおいては、簡易な接続により間違いなくスピーカ装置３１をテレビジョン受像機２等に接続することができ、これらにより簡易な接続により、重低音の豊富な臨場感の高い音声信号による音場を形成することができる。
【００３８】
またこれら右及び左チャンネルの音声信号、映像信号を伝送する接続コードを平行に一体化した複合の接続ケーブル３９、４０における配列及び色分けに対応して、一定のピッチにより一列に配列してこれら入出力端子が設けられていることにより、配列に従って接続して、さらには色分けに従って接続して、さらに一段と簡易な接続作業により間違いなく接続して重低音の豊富な臨場感の高い音場を形成することができる。
【００３９】
すなわちスピーカ装置３１では、平行に一体化されてなる複合の接続コード３９を構成する各接続コード３９Ｌ、３９Ｒ、３９Ｖに設定された配列、色分けに従って、ＤＶＤプレイヤー１に設けられた音声出力端子１Ｌ、１Ｒ、映像出力端子１Ｖにこれら接続コード３９Ｌ、３９Ｒ、３９Ｖをそれぞれ接続し、また同様の配列、色分けに従ってこれら接続コード３９Ｌ、３９Ｒ、３９Ｖの他端をスピーカ装置３１の音声入力端子３１ＬＩ、３１ＲＬ、映像入力端子３１ＶＩに接続することにより、入力側の接続が完了する。また同様に、平行に一体化されてなる複合の接続コード４０を構成する各接続コード４０Ｌ、４０Ｒ、４０Ｖに設定された配列、色分けに従って、スピーカ装置３１の音声出力端子３１ＬＯ、３１ＲＯ、映像出力端子３１ＶＯにこれら接続コード４０Ｌ、４０Ｒ、４０Ｖを接続し、また同様の配列、色分けに従ってこれら接続コード４０Ｌ、４０Ｒ、４０Ｖの他端をテレビジョン受像機２の音声入力端子２Ｌ、２Ｒ、映像入力端子２Ｖに接続することにより、出力側の接続が完了する。
【００４０】
しかして各入出力端子においては、それぞれ入力端子と出力端子とが単に接続されている関係であることにより、色分けを間違えて接続した場合であっても、入力と出力とで対応関係さえ保たれていれば、色分けに従って正しく接続した場合と同様に映像及び音声を楽しむことができ、スピーカ装置３１では、これにより一段と使い勝手を向上できるようになされている。
【００４１】
（３）実施例の効果
以上の構成によれば、音声信号と共に対応する映像信号を入力し、これら音声信号、映像信号を出力端子から出力すると共に、この音声信号の周波数の低い信号成分によりスピーカを駆動することにより、簡易な接続により、重低音の豊富な臨場感の高い音場を形成することができる。
【００４２】
また音声入力端子及び映像入力端子が、右及び左チャンネルの音声信号、映像信号を伝送する接続コードを平行に一体化した複合の接続ケーブルにおける配列及び色分けに対応して、一定のピッチにより一列に配列して設けられ、音声出力端子及び映像出力端子がこれら音声入力端子及び映像入力端子における配列及び色分けに対応して、一定のピッチにより一列に配列して設けられていることにより、色分け、配列に従って接続コードを接続することにより、さらには複合の接続コードを用いて配線することにより、一段と配線作業を簡略化することができる。また複合の接続コードを用いる場合にあっては、さらに接続をすっきりとしたものにすることができる。
【００４３】
またこのような右及び左チャンネルの音声信号を合成して１チャンネルの音声信号を生成し、この１チャンネルの音声信号によりスピーカを駆動することにより、簡易な構成により臨場感の高い音場を形成することができる。
【００４４】
また音量を制御する音量制御手段としてボリュームを有することにより、このボリュームの調整により好みの音場を形成することができる。
【実施例２】
【００４５】
なお上述の実施例においては、音量制御手段としてボリュームを設ける場合について述べたが、本発明はこれに限らず、音量制御手段としてスイッチを設けるようにしてもよい。
【００４６】
また上述の実施例においては、右及び左チャンネルによる２チャンネルの音声信号を１チャンネルに合成してスピーカを駆動する場合について述べたが、本発明はこれに限らず、それぞれ各チャンネル毎にスピーカを駆動するようにしてもよい。
【００４７】
また上述の実施例においては、ＤＶＤプレイヤーの出力を処理する場合について述べたが、本発明はこれに限らず、種々のソースから出力される映像信号及び音声信号を処理する場合に広く適用することができる。
【産業上の利用可能性】
【００４８】
本発明は、例えばＤＶＤプレイヤーに係るモニタシステムに適用することができる。
【図面の簡単な説明】
【００４９】
【図１】本発明の実施例に係るスピーカ装置を示すブロック図である。
【図２】図１のスピーカ装置の接続を示すブロック図である。
【図３】図１のスピーカ装置における端子の配列を示す平面図である。
【図４】ＤＶＤプレイヤーとテレビジョン受像機との接続の説明に供するブロック図である。
【図５】ＤＶＤプレイヤーから出力される５．１チャンネルによる音声信号の再生の説明に供するブロック図である。
【図６】サブウーハーの接続の説明に供するブロック図である。
【符号の説明】
【００５０】
１……ＤＶＤプレイヤー、１Ｌ、１Ｒ、３１ＬＯ、３１ＲＯ……音声出力端子、１Ｖ、３１ＶＯ……映像出力端子、２……テレビジョン受像機、２Ｌ、２Ｒ、３１ＬＩ、３１ＲＩ……音声入力端子、２Ｖ、３１ＶＩ……映像入力端子、５Ｌ、５Ｒ、１１ＦＬ、１１Ｃ、１１ＦＲ、１１ＳＬ、１１ＳＲ、３２……スピーカ、３１……スピーカ装置、３３Ｌ、３３Ｒ……バッファアンプ、３４……ミキシングアンプ、３５……ローパスフィルタ、３６……ボリューム、３７……増幅回路
【図１】
2005079801.tif 000003
【図２】
2005079801.tif 000004
【図３】
2005079801.tif 000005
【図４】
2005079801.tif 000006
【図５】
2005079801.tif 000007
【図６】
2005079801.tif 000008